(57)【要約】【課題】互いに異なる撮影方法で撮影された複数の眼底画像の中から、検者によって選択された画像を好適に表示させること。【解決手段】演算制御部７０は、眼底撮影装置１００によって互いに異なる撮影方法で撮影された複数の眼底画像を取得する取得した後、モニタ８０上に、第１の表示領域２０１と、第２の表示領域２０２とは表示される。第１の表示領域２０１は、互いに異なる撮影方法で撮影された複数の眼底画像のうち、いずれかの撮影方法による眼底画像が選択的に配置されると共に、配置された眼底画像毎に、眼底画像を登録画像として登録するための操作を受け付け可能である。第２の表示領域２０２は、撮影方法毎に登録された登録画像が一覧表示可能である。【選択図】図３
2020195486.tif 000002
【特許請求の範囲】
【請求項１】
コンピュータのプロセッサによって実行されることにより、
眼底撮影装置によって互いに異なる撮影方法で撮影された複数の眼底画像を取得する取得ステップと、
モニタ上に１枚以上の前記眼底画像を表示させる表示制御ステップと、を前記コンピュータに実行させる、眼底画像観察プログラムであって、
前記表示制御ステップでは、
互いに異なる撮影方法で撮影された複数の前記眼底画像のうち、いずれかの撮影方法による眼底画像が選択的に配置されると共に、配置された前記眼底画像毎に、前記眼底画像を登録画像として登録するための操作を受け付け可能な第１の表示領域と、
更に、撮影方法毎に登録された前記登録画像が一覧表示可能な第２の表示領域と、を前記モニタ上に表示させる、眼底画像観察プログラム。
【請求項２】
請求項１記載の眼底画像観察プログラムであって、  
前記表示制御ステップでは、
前記第１表示領域と前記第２表示領域とを前記モニタ上に択一的に表示させると共に、
択一的に表示される表示領域を切換えるためのウィジェットを、前記モニタ上に表示させ、
前記ウィジェットに対する操作入力に基づいて前記第１表示領域と前記第２表示領域とを切換えて表示する。
【請求項３】
請求項１又は２記載の眼底画像観察プログラムであって、
前記表示制御ステップでは、前記ウィジェットに対するワンアクションの操作入力に基づいて、前記前記第１表示領域と前記第２表示領域とが切換えられる。
【請求項４】
請求項１〜３の何れかに記載の眼底画像観察プログラムであって、
異なる撮影方法で撮影された複数の前記眼底画像には、一連の蛍光造影撮影によって撮影された蛍光造影画像が、少なくとも含まれる。
【請求項５】
請求項４記載の眼底画像観察プログラムであって、
前記第１の表示状態において、前記蛍光造影画像が表示される場合は、各々の前記蛍光造影画像と対応付けて造影時期を示す情報が表示される。
【請求項６】
請求項１から５のいずれかに記載の眼底画像観察プログラムであって、
前記表示制御ステップにおいて、前記表示領域に表示される前記眼底画像は、共通する撮影範囲を含んでいる。
【発明の詳細な説明】
【技術分野】
【０００１】
本開示は、眼底画像観察プログラムに関する。
【背景技術】
【０００２】
眼科分野の画像診断では、眼底撮影装置で撮影された眼底画像が広く利用されている。
【０００３】
被検眼を多角的に診断および観察するうえで、撮影方法が互いに異なる複数の眼底画像を読影することは、有用である。例えば、特許文献１には、眼底における、カラー画像、赤外画像、フルオルセイン造影画像、インドシアニングリーン造影画像、および、自発蛍光画像、を、１台で撮影可能な装置が開示されている。
【先行技術文献】
【特許文献】
【０００４】
【特許文献１】特開２０１６−５９３９９号公報
【発明の概要】
【発明が解決しようとする課題】
【０００５】
しかしながら、複数の撮影方法で眼底画像が撮影されると、その中から読影に用いる画像を検者が選び出す作業における負担が、大きくなりやすい。
【０００６】
また、蛍光造影撮影は、複数の造影時期で撮影が行われるので、一連の撮影において、複数枚の画像が撮影される。しかも、蛍光造影撮影は、造影剤を静注することで被検者へ負担が生じる撮影方法であるので、安易に撮り直しができない。このため、撮影ミスがあり得ることを前提として、比較的多数の画像が撮影される。しかし、多数の画像が撮影されても、読影に利用される画像はその中の少数なので、上記作業の負担が比較的大きい。
【０００７】
本開示は、上記事情に鑑みてなされたものであり、互いに異なる撮影方法で撮影された複数の眼底画像の中から、検者によって選択された画像を好適に表示させる、眼底画像観察プログラムを提供することを技術課題とする。
【課題を解決するための手段】
【０００８】
本開示の第１態様に係る眼底画像観察プログラムは、コンピュータのプロセッサによって実行されることにより、眼底撮影装置によって互いに異なる撮影方法で撮影された複数の眼底画像を取得する取得ステップと、モニタ上に１枚以上の前記眼底画像を表示させる表示制御ステップと、を前記コンピュータに実行させる、眼底画像観察プログラムであって、前記表示制御ステップでは、互いに異なる撮影方法で撮影された複数の前記眼底画像のうち、いずれかの撮影方法による眼底画像が選択的に配置されると共に、配置された前記眼底画像毎に、前記眼底画像を登録画像として登録するための操作を受け付け可能な第１の表示領域と、更に、撮影方法毎に登録された前記登録画像が一覧表示可能な第２の表示領域と、を前記モニタ上に表示させる。
【発明の効果】
【０００９】
本開示によれば、互いに異なる撮影方法で撮影された複数の眼底画像の中から、検者によって選択された画像を好適に表示させる。
【図面の簡単な説明】
【００１０】
【図１】実施例に係る眼底画像観察システムの概要を示すブロック図である。
【図２】一連の蛍光造影撮影の流れを示した図である。
【図３】第１の表示状態におけるビュワー画面の一例を示した図である。
【図４】第２の表示状態におけるビュワー画面の一例を示した図である。
【発明を実施するための形態】
【００１１】
以下、本開示における１つの実施形態を説明する。初めに、図１を参照して、実施形態に係る眼底画像観察システムを説明する。眼底画像観察システムは、互いに異なる複数の撮影方法で、眼底画像を撮影し、撮影された眼底画像を表示する。なお、説明の便宜上、特に断りが無い限り、実施形態の説明において、眼底画像は眼底の正面画像を指すものとする。
【００１２】
なお、互いに異なる複数の撮影方法の間の相違点は、被検眼に照射される光の波長域であってもよいし、蛍光撮影と反射撮影との違いがあってもよいし、正面撮影と断層（断面）撮影との違いがあってもよいし、その他の違いがあってもよい。
【００１３】
眼底画像観察システムは、コンピュータ１と、眼底撮影装置１００と、を含む。コンピュータ１と、眼底撮影装置１００とは、有線または無線で接続されている。これにより、コンピュータ１と、眼底撮影装置１００とは、通信可能である。実施形態に係る眼底画像観察プログラムは、コンピュータ１のプロセッサによって読み出し可能な、不揮発性メモリに格納されている。以下、説明される本実施形態では、眼底撮影装置１００と、コンピュータ１とが、別体である。ただし、２つの装置は、一体化されていてもよい。
【００１４】
＜眼底撮影装置＞
眼底撮影装置１００は、少なくとも、撮影光学系（図示せず）を有する。この撮影光学系では、被検眼の眼底を光で照射したのちに眼底からの戻ってくる光が受光素子によって受光される。本実施形態では、受光素子からの受光信号に基づいて眼底画像が形成される。眼底画像は、眼底撮影装置１００の画像処理回路（例えば、ＩＣおよびプロセッサ等）によって形成される。なお、画像処理回路は、眼底撮影装置１００に備え付けされている必要はない。例えば、コンピュータ１の画像処理回路が、眼底撮影装置１００の画像処理回路を兼ねていてもよい。
【００１５】
本実施形態において、眼底撮影装置１００は、互いに異なる複数の撮影方法で、眼底画像を撮影する。眼底画像の１種としての蛍光造影画像が撮影可能であってもよい。また、他の眼底画像としての反射画像が撮影可能であってもよい。蛍光造影画像は、眼底血管に投与された蛍光造影剤の蛍光発光による撮影画像である。反射画像は、眼底照射に用いられた照明光の眼底反射光による撮影画像である。
【００１６】
眼底撮影装置１００の撮影光学系により、蛍光造影画像と、反射画像とが、同時に撮影可能であってもよい。ここでいう同時とは、完全同時に限定されない。若干の時間差は、許容される。時間差は、例えば、２種類の眼底画像が撮影される間に、有意な眼の動きが生じない程度の範囲で設定されてもよい。
【００１７】
眼底撮影装置１００は、例えば、インドシアニングリーン造影撮影（ＩＣＧＡ）、および、フルオレセイン造影撮影（ＦＡ）、のいずれかの撮影方法で、蛍光造影画像を撮影してもよい。２種類の造影剤を同時に静注することにより、２種類の蛍光造影画像が同時に撮影されてもよい。また、眼底撮影装置１００は、赤外光による反射画像（以下、ＩＲ画像と称する）、および、カラー画像を撮影可能であってもよい。また、更に、自発蛍光画像が撮影可能であってもよい。
【００１８】
実施形態に係る眼底撮影装置１００は、ＳＬＯ（走査型レーザー検眼鏡：Ｓｃａｎｎｉｎｇ  Ｌａｓｅｒ  Ｏｐｈｔｈａｌｍｏｓｃｏｐｅ）であってもよい。但し、必ずしもこれに限定されるものではなく、眼底撮影装置１００は、眼底カメラ等の他の眼底撮影装置であってもよい。なお、蛍光造影画像と反射画像とを同時に撮影可能なＳＬＯの詳細構成については、例えば、本出願人による特開２０１６−５９３９９号公報等を参照されたい。
【００１９】
＜コンピュータ＞
コンピュータ１は、少なくとも、眼底撮影装置１００によって撮影される各種の眼底画像を取得して、モニタ８０に表示させる。コンピュータ１は、少なくとも、演算制御部７０を備える。演算制御部７０は、コンピュータ１のプロセッサである。演算制御部７０は、図１に示すように、ＣＰＵ、ＲＡＭ、および、ＲＯＭ等によって構成されてもよい。演算制御部７０は、眼底画像の表示制御のほか、眼底画像に関する各種処理を、眼底画像観察プログラムに基づいて実行する。
【００２０】
図１に示すように、コンピュータ１の演算制御部７０は、データバス等を介して、メモリ７１、操作部７５、モニタ８０、および、眼底撮影装置１００等と接続される。
【００２１】
本実施形態において、メモリ７１は、不揮発性の記憶装置である。例えば、ハードディスクあるいはフラッシュメモリ等が、メモリ７１として適用可能である。本実施形態において、眼底画像観察プログラムは、メモリ７１に予め記憶されている。メモリ７１は、書き換え可能であってもよい。この場合、以下の実施例において説明するように、メモリ７１には、眼底撮影装置１００から取得される各種の眼底画像が記憶されてもよい。但し、眼底画像は、眼底画像観察プログラムが記憶されたメモリとは、別体のメモリ（図示せず）に記憶されてもよい。
【００２２】
操作部７５は、コンピュータ１の入力インターフェイスである。演算制御部７０は、操作部７５への操作入力に応じた信号を受け付ける。操作部７５としては、種々のデバイスが考えられる。例えば、タッチパッド、マウス、および、キーボードのうちの少なくともひとつが、操作部７５として利用されてもよい。なお、操作部７５は、眼底撮影装置１００の入力インターフェイスとして兼用されてもよい。なお、眼底撮影装置１００の入力インターフェイス（操作部）として、眼底撮影装置１００に備え付けのジョイスティック、および、スイッチ等が、眼底撮影装置１００に設けられていてもよい。
【００２３】
モニタ８０は、本実施形態において、眼底撮影装置１００によって撮影された画像の表示部（表示デバイス）として利用される。モニタ８０は、例えば、汎用のモニタあってもよいし、装置に備え付けのモニタであってもよい。モニタ８０に代えて、ヘッドマウントディスプレイ等の他の表示デバイスが、表示部として利用されてもよい。
【００２４】
＜動作説明＞
以下、上記のような構成を持つ、眼底画像観察システムの動作を説明する。
【００２５】
同一日の検査において、複数の撮影方法で被検眼Ｅが撮影される場合がある。眼底撮影装置１００は、検者の操作に応じて適宜撮影方法を切換え、眼底撮影装置１００は、ＩＲ画像、カラー画像、自発蛍光画像、蛍光造影画像等を撮影する。撮影された眼底画像は、撮影方法を示す識別情報と対応付けて装置のメモリへ記憶される。
【００２６】
＜蛍光造影撮影＞
ここで、蛍光造影撮影を例に、撮影の流れを、詳細に説明する。被検者に造影剤を静注した場合、眼底の血管内に流入する造影剤の量は、静注から一定時間経過後に急激に増大し、その後に徐々に減少する。静注直後の造影初期では、造影剤は、太い血管→細い血管の順で流入していく。このとき、眼底での蛍光発光の状態の変化は、大きく、且つ、速やかである。一方、造影剤が注入されてから、更に時間が経過した造影中期、および造影後期においては、造影剤が血管内に十分に行き渡っているので、眼底での蛍光発光の状態の変化は少なくなる。
【００２７】
そこで、造影初期から造影後期までの一連の蛍光造影撮影において、造影初期では、蛍光造影画像の連続撮影が、撮影トリガ信号（本実施形態における第１トリガ信号）に基づいて開始されてもよい。連続撮影では、撮影トリガ信号が出力されてから、少なくとも１０秒から数分間、或いは数十分の期間、継続的に蛍光造影画像が撮影される。つまり、当該期間の間、眼底に光が投光され、その戻り光が受光素子に受光される。連続撮影の結果、撮影画像群が、眼底撮影装置１００によって取得される。
【００２８】
撮影画像群には、撮影トリガ信号（本実施形態における第１トリガ信号）の出力タイミング以降に一定周期で撮影された連続的な複数フレームの蛍光造影画像（蛍光による眼底画像）が含まれる。ＳＬＯでは、眼底の所定範囲が周期的に走査されることにより、所定範囲内が一通り（つまり、一周期分）走査される毎に、１フレームの撮影画像を得ることが可能である。撮影画像群は、撮影期間中の各周期の眼底走査で得られた蛍光造影画像で構成されていてもよい。あるいは、１周期とばし、（又は、２周期とばし、３周期とばし、・・・ｎ周期とばし、でもよい）の眼底走査で得られた蛍光造影画像が撮影画像群を構成していてもよい。眼底撮影装置１００によって、少なくとも毎秒、数フレームの撮影画像が得られる。
【００２９】
なお、以下では、撮影画像群に含まれる各々の蛍光造影画像を、以下、便宜上フレーム画像と称する場合がある。
【００３０】
また、一連の蛍光造影撮影において、造影中期および造影後期では、撮影トリガ信号（本実施形態における第２トリガ信号）の出力に基づき、蛍光造影画像が単発的に撮影されてもよい。この場合、撮影トリガ信号の出力直後に、蛍光造影画像の静止画像が単発的に撮影される。ここでいう、単発的な撮影とは、撮影トリガ信号の出力を契機に、少なくとも１枚の予め定められた枚数の蛍光造影画像が得られることである。なお、単発的な撮影では、連続撮影に比べて、短い時間で撮影が行われる。１回の撮影トリガ信号につき、得られる蛍光造影画像は、好ましくは、多くても十枚程度にとどめられる。単発的な撮影の結果として得られる蛍光造影画像を、以下、便宜上造影静止画像と称する。造影静止画像は、連続造影撮影で得られるフレーム画像よりも多くの画素数（例えは、高い解像度）を有する画像であってもよい。
【００３１】
なお、蛍光造影撮影は、必ずしもこれら説明された手法に限られない。造影初期において造影静止画像の撮影が行われてもよく、また、造影後期において、連続造影撮影が行われてもよい。
【００３２】
一連の蛍光造影撮影の結果として取得される複数の蛍光造影画像の一部または全部は、加算画像であってもよい。ＦＡ、ＩＣＧＡのいずれにおいても、眼底からの蛍光は微弱であり、それは、造影初期、造影後期においては特に顕著である。このため、例えば、連続する複数フレーム分の蛍光造影画像を取得し、それらを加算（加算平均あるいは加重平均等でもよい）することにより、良好な蛍光造影画像を得るようにしてもよい。
【００３３】
眼底撮影装置１００は、各々の蛍光造影画像と同時に、反射画像を撮影する。反射画像は、各々の蛍光造影画像の位置関係を対応付けるために利用可能である。反射画像の詳細は、後述する。
【００３４】
次に、図２を参照し、蛍光造影撮影における装置動作の具体例を説明する。
【００３５】
［ｔ０：アライメントおよび撮影条件の設定］
まず、検者は、被検眼に対する装置のアライメントを行い、併せて、撮影条件を設定する。この場合に設定される撮影条件には、励起光として眼底を照射する光の波長についての条件が少なくとも含まれる。例えば、ＦＡの場合は、青色、又は、緑色の光が励起光として設定される。ＩＣＧＡの場合は、赤外域の光が励起光として設定される。ＦＡおよびＩＣＧＡが同時に行われる場合、それぞれに対応した２種類の波長域が、励起光として設定される。更に、本実施形態では、第２の赤外域の光が、眼底に照射される光として、更に設定される。第２の赤外域の光は、眼底観察用の光、および、反射画像を得るための光として、兼用される。なお、第２の赤外域と、ＩＣＧ励起用の赤外域とは、互いに異なる波長域に属する。
【００３６】
［ｔ１：蛍光造影撮影の開始］
アライメントおよび撮影条件の設定が完了したら、検者は、被検者に造影剤を静注する。また、同時に（又は直後に）、一連の蛍光造影撮影を開始させるための操作入力を、眼底撮影装置１００の入力インターフェイスに対して行う。その結果、眼底撮影装置１００において、蛍光造影撮影が開始される。
【００３７】
蛍光造影撮影と共に、眼底撮影装置１００において、造影タイマが作動される。造影タイマは、造影開始からの時間経過を計測する時間計測手段である。つまり、造影時期（時相ともいう）が、造影タイマによって管理される。造影タイマは、モニタ８０へ表示されてもよい。本実施例では、一連の蛍光造影撮影で撮影される各々の眼底画像（蛍光造影画像および反射画像）には、撮影タイミングにおける造影タイマの計測時間が、対応付けてメモリに記憶される。
【００３８】
一連の蛍光造影撮影の間、眼底は、継続的に、励起光で照射（ＳＬＯでは、更に、走査）され、更に、励起光による照射に起因する眼底からの蛍光による眼底画像が、眼底撮影装置１００によって、逐次取得されてもよい。逐次取得される画像は、観察画像（リアルタイムな動画像）として、モニタ８０に表示されてもよい。これにより、撮影範囲、および、固視のズレを、反射画像から確認できる。また、検者においては、蛍光による観察画像を確認することで、適切なタイミングで、トリガ操作を行うことが可能となる。
【００３９】
［ｔ１〜ｔ２：造影初期］
本実施形態では、一連の蛍光造影撮影の開始タイミングから、連続造影撮影が開始される。つまり、連続造影撮影の開始操作に基づいて、連続造影撮影の撮影トリガ信号が出力される。連続造影撮影の結果として、複数フレームの蛍光造影画像を含む撮影画像群が、メモリに記憶される。あわせて、本実施形態では、各々の蛍光造影画像と同時に撮影された反射画像が、メモリに記憶されてもよい。連続造影撮影は、開始から一定時間経過後に自動的に終了してもよいし、眼底撮影装置１００の入力インターフェイスに対する所定操作に基づいて、手動で終了してもよいし、その他の終了条件を満たしたときに終了してもよい。
【００４０】
本実施形態では、逐次取得されるフレーム画像（蛍光造影画像）が、モニタ８０にリアルタイムな動画として表示される。併せて、各フレーム画像と共に撮影される、反射画像も動画として表示されてもよい。撮影範囲、および、固視のズレを、反射画像から検者が確認できる。
【００４１】
連続造影撮影の結果として取得される撮影画像群のうち、読影等に利用される画像は、一部である場合が考えられる。このため、１つの撮影画像群のうち一部のフレーム画像が、キーフレームとして登録されてもよい。ここでいう「キーフレーム」は、連続造影撮影の結果として得られる複数のフレーム画像のうち、所望の造影状態を示す画像である。
【００４２】
例えば、診断において有用である、ＣＮＶ（脈絡膜新生血管）への造影剤が流入していく数秒間の間に形成されるフレーム画像等が、キーフレームの１つとして選択されてもよい。１回の連続造影撮影に対し、複数フレームのキーフレームが選択可能である。例えば、予め定められたタイミングで取得されたフレーム画像であってもよいし、連続造影撮影中に所定のトリガ操作が行われたタイミングで取得されるフレーム画像であってもよい。また、撮影の後で、事後的にキーフレームを選択可能であってもよい。
【００４３】
本実施形態において、キーフレームは、撮影画像群の他のフレーム画像と比べて、後述のビュワー画面において優先的に表示される。例えば、他のフレーム画像は、ビュワー画面が起動されてから表示されるまでに、キーフレームと比べて多くの操作入力が要求されてもよいし、ビュワー画面において他のフレーム画像は非表示とされていてもよい。
【００４４】
［ｔ２〜ｔ３：造影中期および後期］
次いで、数分から数十分程度の時間を適宜おいて、造影静止画像の撮影が行われる。この撮影に際し、眼底撮影装置１００は、観察画像を取得し、モニタ８０に取得した画像を表示させる。造影中期、造影後期における任意のタイミングで、造影状態、又は、撮影範囲を、観察画像を用いて確認しながら、撮影操作が行われる（例えば、レリーズボタンを押下する）。撮影操作に基づいて、眼底撮影装置１００には、撮影トリガ信号（第２トリガ信号）が入力される。これにより、眼底撮影装置１００は、造影静止画像を取得する。このとき、励起光と共に、反射画像撮影用の光を眼底に投光することにより、造影静止画像と同時に、反射画像が得られる。このようして、撮影中期および後期では、撮影操作毎に、造影静止画像および反射画像が同時に取得されて、メモリに記憶される。
【００４５】
造影中期、造影後期において撮影される造影静止画像の枚数は、造影初期において撮影される撮影画像群を構成するフレーム画像の枚数と比べて少ない。このため、本実施形態では、後述のビュワー画面において、各々の造影静止画像は、キーフレームと同等の優先度で表示されるものとする。
【００４６】
＜撮影結果の取得＞
以上のようにして眼底撮影装置１００によって撮影された、蛍光造影画像、および、反射画像は、コンピュータ１のプロセッサからアクセス可能なメモリ（ここでは、メモリ７１）に記憶される。これにより、本実施形態では、互いに異なる複数の撮影方法で撮影された眼底画像が、コンピュータ１によって取得される。詳細には、一連の蛍光造影撮影で得られた複数フレームの蛍光造影画像が取得される。また、反射画像が更に取得されてもよい。
【００４７】
また、前述したように、本実施形態では、各々の蛍光造影画像および反射画像が撮影された時の造影タイマの計測時間を示す情報が、更に、メモリ７１に記憶される。
【００４８】
＜ビュワー画面の表示＞
コンピュータ１の演算制御部７０は、ビュワー画面をモニタ８０へ表示させる。ビュワー画面において、眼底画像が表示される。このビュワー画面は、レポート等として出力される眼底画像を選定するため、又は、編集（画像の加工）するため、等に利用される。
【００４９】
図３，図４にビュワー画面の一例を示す。図３，図４に示すビュワー画面は、少なくとも、検者によって指定された撮影日に撮影された眼底画像の表示に利用される。本実施例におけるビュワー画面上には、第１の表示領域２０１（図３参照）と、第２の表示領域２０２（図４参照）と、が、択一的に表示される。また、本実施例において、ビュワー画面には、各種ウィジェットが配置される。ここでいうウィジェットは、GUIのインタフェース部品（UIパーツ）の総称であり、コントロールとも称する。ウィジェットの具体例としては、ボタン、スライダー、チェックボックス、テキストボックス、等、多用なものが知られている。
【００５０】
ビュワー画面に表示されるウィジェットの中には、少なくとも、ビュワー画面上の表示領域を切換えるために操作されるものが含まれる。ビュワー画面では、ウィジェットに対する操作入力に基づいて、第１の表示領域２０１（図３参照）と、第２の表示領域２０２（図４参照）と、が切換えて表示される。
【００５１】
＜ビュワー画面における各種ウィジェット＞
図３，図４のビュワー画面には、表示領域の切換操作に用いるウィジェットの一例として、複数のタブ２１１〜２１６が、表示領域２０１，２０２の上部に配置されている。複数のタブ２１１〜２１６のうちいずれかを、ポインティングデバイスを介して選択操作することで、表示領域２０１，２０２が切換えられる。また、各々の表示領域２０１，２０２に表示される眼底画像は、所定の操作に応じて、適宜、拡大できる。所定の操作に基づいて眼底画像が選択されることで、別画面（第２のビュワー画面）上での拡大観察が可能となってもよい。
【００５２】
第１の表示領域２０１には、互いに異なる撮影方法で撮影された複数の眼底画像のうち、いずれかの撮影方法による眼底画像が選択的に配置される。つまり、第１の表示領域２０１には、単一の撮影方法で撮影された眼底画像が表示可能である。各撮影方法に対応するタブ２１２〜２１６（一例として、ＩＣＧＡタブ２１２、ＦＡタブ２１３、Ｃｏｌｏｒタブ２１４、ＦＡＦタブ２１５、および、ＩＲタブ２１６）が、第１の表示領域２０１と対応する。これらのうち何れかが選択されることで、第１の表示領域２０１がビュワー画面上に表示される。第１の表示領域２０１には、選択したタブと対応する撮影方法による眼底画像が選択的に表示される。
【００５３】
また、本実施例では、比較表示用のタブ（Ｃｏｍｐａｒｉｓｏｎタブ２１１）が選択されることで、第２の表示領域２０２がビュワー画面上に表示される。第２の表示領域２０２には、互いに異なる撮影方法で撮影された複数の眼底画像であって、事前に登録画像として登録された眼底画像が選択的に表示可能である。「登録画像」は、例えば、撮影方法が異なる他の眼底画像との比較に利用されてもよい。
【００５４】
その他のウィジェットとして、図３，図４に示すビュワー画面には、左右眼切換ボタン２３１、経過観察ボタン２３２、データ出力ボタン２３４、および、画像編集ボタン２３５等が配置されている。
【００５５】
左右眼切換ボタン２３１は、ビュワー画面に表示される眼底画像を、右眼を撮影したものと、左眼を撮影したものとの間で切換えるために操作される。
【００５６】
経過観察ボタン２３２は、撮影日の異なる眼底画像を、表示領域２０１，２０２上に並列表示するために操作される。経過観察ボタン２３２を操作した後、更に、撮影日を指定する操作を受付可能となる。本実施形態では、このとき指定された撮影日の眼底画像が、既に表示領域２０１，２０２へ表示されている眼底画像と並列表示される。経過観察に適したレポート等を、ビュワー画面を介して作成できる。
【００５７】
データ出力ボタン２３３は、ビュワー画面において選定、編集等された眼底画像を、出力するために操作される。例えば、ボタン２３３を操作した場合、所定のレポート形式で出力されてもよい。出力は、表示出力であってもよいし、データ出力であってもよいし、印刷出力であってもよい。
【００５８】
画像編集ボタン２３４は、表示領域に表示される眼底画像であって、検者によって選択された画像を、編集する際に操作される。画像編集ボタン２３４を介して、例えば、ブライトネス、コントラスト補正、および、ガンマ補正、鮮鋭化、および、平滑化等の各種画像処理の実行を受け付けてもよい。
【００５９】
＜第１の表示領域＞
図３に示すように、第１の表示領域２０１には、単一の撮影方法による眼底画像が表示される。
【００６０】
例えば、ＦＡタブ２１２およびＩＣＧＡタブ２１３のうちいずれかが選択されると、蛍光造影撮影による眼底画像が、第1の表示領域２０１内に表示される。この場合、各々の撮影トリガ信号毎に得られた複数フレームの蛍光造影画像から、任意の造影時期に撮影された蛍光造影画像を、登録画像として選択し、登録できる。
【００６１】
本実施形態において、表示領域内には、一連の蛍光造影撮影で得られた多数の眼底画像のうち、キーフレーム、および、造影静止画像が表示される。これにより、登録画像の登録作業を、効率良く行うことができる。
【００６２】
また、第１の表示領域２０１においては、眼底画像を登録画像として登録するための操作を、第１の表示領域２０１へ表示される眼底画像毎に受け付け可能である。図３に示すように、第１の表示領域２０１における各々の眼底画像の周囲（図では上部）に、チェックボックス２３７（第２のウィジェットの一例）が配置されてもよい。チェックボックス２３７を選択して、チェックが付いた眼底画像が、登録画像として登録される。
【００６３】
ビュワー画面に蛍光造影画像が表示される場合、各々の蛍光造影画像と対応付けて造影時期を示す情報が表示される。造影時期を示す情報は、撮影時における造影タイマの値であってもよいし、撮影日時であってもよい。一例として、図３，図４に示したビュワー画面では、造影バー２４０を用いて、造影時期がグラフィカルに示されている。造影バー２４０における塗りつぶしと余白との比率によって、経過時間と残り時間との比率が示される。これによって、検者は、各眼底画像における造影時期を直感的に把握できる。
【００６４】
また、例えば、Ｃｏｌｏｒタブ２１４を選択するとカラー画像が、ＦＡＦタブ２１５を選択すると自発蛍光画像が、ＩＲタブ２１６を選択すると赤外画像が、それぞれ表示される。この場合も、ＦＡタブ２１２またはＩＣＧＡタブ２１３が選択された場合と同様の操作で、登録画像を登録可能であってもよい。なお、これらのタブは一例に過ぎず、撮影方法に応じて、適宜別のタブが設けられていてもよい。例えば、広角の眼底画像と対応するタブが設けられていてもよい。広角の眼底画像と対応するタブは、更に、詳細な撮影方法毎（例えば、それぞれ、広角での、ＦＡ、ＩＣＧＡ、Ｃｏｌｏｒ撮影、ＦＡＦ撮影、ＩＲ撮影等）に設けられていてもよい。
【００６５】
＜第２の表示領域＞
図4に示すように、第２の表示領域２０２には、撮影方法毎に事前に登録されている登録画像が、第２の表示領域２０２において並べて表示可能である。このとき、第２の表示領域２０２には、撮影方法が互いに異なる複数の眼底画像が混在して並べられ得る。各々の眼底画像は、第１の表示領域２０１において、撮影方法毎にピックアップされたものであるので、第２の表示領域２０２において、撮影方法が互いに異なる複数の眼底画像が混在しても、閲覧しやすい。従って、本実施形態のビュワー画面によれば、互いに異なる撮影方法で撮影された複数の眼底画像の中から、検者によって選択された画像が好適に表示される。
【００６６】
図３，図４に示すビュワー画面上における各々の眼底画像には、撮影方法を示す識別情報が付される。一例として、各々の眼底画像における枠部分（例えば、ヘッダ部分）へ、撮影方法と対応する色が付される。また、更に、タブ２１２〜２１６も、撮影方法と対応する色が付される。これにより、第２の表示領域２０２において表示される各々の眼底画像における撮影方法を、検者が直感的に把握しやすくなる。なお、撮影方法を示す識別情報は、例えば、撮影方法を示すテキストであってもよいし、その他であってもよい。
【００６７】
図３，図４に示すビュワー画面において、表示領域を切換えるための操作は、タブ２１１〜２１６の選択操作で足りる。つまりは、ワンアクションの操作入力で充足する。表示状態がワンアクションで切替わるため、検者が、第１の表示領域２０１において登録画像を選択し、選択した画像同士を第２の表示領域２０２において比較等する作業において、作業性が向上する。なお、ここでいうワンアクションの操作は、表示領域を切換えるうえで求められる唯一の操作である。換言すれば、表示領域を切換るうえで、該操作が行われてから確認が要求されない。
【００６８】
＜登録結果の再利用＞
左右眼の間で、登録作業による登録結果を、再利用してもよい。より詳細には、制御部７０は、片眼について登録画像として登録された眼科画像と、同条件で撮影された反対眼についての眼底画像を、反対眼における登録画像として、自動的に登録してもよい。例えば、片眼について登録画像の登録が行われた後、左右眼切換ボタン２３１が操作されることによって、自動的に反対眼についての登録画像が設定されてもよい。なお、同条件とは、撮影方法および撮影タイミング（例えば、造影時期）の一方または両方についての条件が同じことを指す。本実施例においては、左右両眼を同時に撮影できないので、撮影タイミングについての厳密な同一性は要求されない。例えば、所定時間内に撮影された各眼の画像が、撮影タイミングに関して同条件で撮影された画像として扱われてもよい。これにより、左右両眼についての登録画像を登録する作業を、効率よく進めることができる。
【００６９】
また、これに限らず、あるときの登録作業による登録結果を、その後の登録作業において再利用してもよい。すなわち、あるときに第２の表示領域２０２内に配置された各々の眼底画像と同条件で撮影された眼底画像が、新たな登録作業の際に、登録画像として自動的に設定されてもよい。
【００７０】
「変容例」
以上、実施形態に基づいて説明を行ったが、本開示は、上記実施形態に限定されるものではない。本開示は、上記実施形態に対する種々の変容形態を含みうる。
【００７１】
＜第１表示領域２０１と第２表示領域２０２との同時表示＞
上記実施形態では、第１表示領域２０１と第２表示領域２０２とが、タブ２０１〜２０６の操作に基づいて、ビュワー画面において択一的に表示された。しかし、必ずしもこれに限られるものではなく、第１表示領域２０１と第２表示領域２０２とが、ビュワー画面上において同時に（換言すれば、並列的に）表示されてもよい。この場合、第１表示領域２０１に表示される眼底画像を、第２表示領域２０２へドラッグ＆ドロップすることで、ドラッグ＆ドロップされた眼底画像を登録画像として登録する登録操作が行われてもよい。
【００７２】
＜登録画像に登録する条件の事前設定＞
上記実施形態では、コンピュータ１によって取得される各種眼底画像を登録画像として登録するためには、ビュワー画面上での登録操作が、画像毎に要求される。
【００７３】
これに対し、事前に登録画像として登録すべき条件を設定しておくことによって、コンピュータ１によって取得される眼底画像のうち、条件に合致する画像が、事前に登録画像として登録されてもよい。このような画像は、ビュワー画面を介した登録操作を要することなく、ビュワー画面上で登録画像として表示されてもよい。
【００７４】
事前に設定される条件は、例えば、以下の３つの条件から選択可能であってもよい。これらの条件は、撮影方法毎に設定可能であってもよい。
第１の条件：特定の撮影方法で撮影されたすべての画像を、登録画像として登録する。
第２の条件：蛍光造影画像において所定の経過時間で得られた画像を、登録画像として登録する。
第３の条件：登録画像の事前登録は行わない。
【００７５】
第１の条件は、カラー画像、自発蛍光画像、ＩＲ画像に適している。１日の撮影におけるこれらの画像の撮影回数は、蛍光造影画像と比べて、一般的に、少ないので、各眼底画像は、いずれも、デフォルト設定において、登録画像として登録されていることで、登録画像の設定作業に要する検者の負担が軽減される。
【００７６】
第２の条件は、施設において造影検査がルーチンワーク化される際に有用である。なお、第２の条件における経過時間は、任意の時間が設定可能であってもよいし、複数設定可能であってもよい。
【００７７】
＜位置合わせ＞
例えば、上記実施形態において、ビュワー画面に表示される各々の眼底画像は、互いに位置合わせ（位置ズレが補正）された状態で表示されてもよい。このときの位置合わせ処理は、例えば、本出願人による特開２０１６−５９４００号公報に開示された技術を利用してもよい。
【００７８】
＜不良判定＞
例えば、上記実施形態において、コンピュータ１は、メモリ７１に記憶される眼底画像が、撮影不良か否かを判定し、撮影不良と判定される画像を、ビュワー画面における表示対象から除外してもよい。蛍光造影画像が撮影不良である場合、同時に撮影される反射画像も撮影不良となる。そのため、反射画像に基づいて、上記判定が行われてもよい。特に、造影初期では、造影状態の変化が大きく、早い。そのため、蛍光造影画像自体からは、撮影不良の判定が困難であることが考えられる。しかし、反射画像の撮影条件は一定であるので、容易に撮影不良を判定することができる。
【００７９】
＜他のモダリティへの適用＞
また、実施形態の眼底画像観察プログラムは、蛍光造影撮影への適用に限られず、一連の撮影（例えば、同日における撮影）で、複数回の撮影トリガ信号が出力される結果、取得される多数の被検眼の撮影画像から、所望の画像を抽出する場合にも適用可能である。例えば、適用可能な被検眼の画像は、多岐にわたる。その具体的な例としては、ＯＣＴ画像、機能ＯＣＴ画像（具体例としては、モーションコントラスト画像）、ＯＣＴ画像又は機能ＯＣＴ画像に基づくEnface画像、眼底画像、および前眼部画像が挙げられる。また、薬剤を投与し、それに対する被検眼における経時的な反応を評価する際に、実施形態の眼底画像観察プログラムが利用されてもよい。
【００８０】
また、上記実施形態において、コンピュータ１が取得し、ビュワー画面に表示される複数枚の眼底画像は、単一の撮影光学系によって撮影されたものであってもよい。コンピュータ１が取得し、ビュワー画面に表示される眼底画像には、追加的に、別の撮影光学系で撮影された眼底画像が、更に含まれてもよい。例えば、コンピュータ１が、図示なきＯＣＴ光学系を介して取得した被検眼のＯＣＴ画像を、更に取得し、ＳＬＯ画像と共に、ビュワー画面に表示してもよい。
【符号の説明】
【００８１】
１        コンピュータ
７０      演算制御部（プロセッサ）
８０      モニタ
１００    眼底撮影装置
２０１    第１の表示領域
２０２    第２の表示領域
【図１】
2020195486.tif 000003
【図２】
2020195486.tif 000004
【図３】
2020195486.tif 000005
【図４】
2020195486.tif 000006